(57)【要約】【課題】  一実施形態の電子装置は、外部からの情報と、内部で構築されている情報とを合体して使用し所望番組の絞り込みと抽出を可能とする。【解決手段】  一実施形態の電子装置の制御方法は、番組リストを管理するための番組リスト生成部において、第１の複数の番組の順位付をした第１の番組リストを外部から取得し、前記第１の複数の番組内に同じ番組として存在する第２の複数の番組に対して順位付けをした第２の番組リストを生成する場合、前記第１の複数の番組の前記順位付けを崩すことなく、第２の複数の番組に対して順位付けした第２の番組リストを生成する。【選択図】図４
2019140621.tif 000002
【特許請求の範囲】
【請求項１】
番組リストを生成する生成部が、
第１の複数の番組の順位付をした第１の番組リストを外部から取得し、
前記第１の複数の番組内に存在する第２の複数の番組に対して順位付けをした第２の番組リストを生成する場合、前記第１の複数の番組の前記順位付けされた順番を崩すことなく、第２の複数の番組に対して新たに順位付けし直した第２の番組リストを生成する、
ことを特徴とする電子装置の制御方法。
【請求項２】
前記外部から取得した前記第１の複数の番組の順位は、番組視聴履歴情報及び又は録画予約情報に基づいている請求項１記載の電子装置の制御方法。
【請求項３】
前記第２の複数の番組は、番組の出演者名および又はジャンルにより限定された番組である請求項１又は２記載の電子装置の制御方法。
【請求項４】
前記第２の複数の番組は、放送日時により限定された番組である請求項１又は２記載の電子装置の制御方法。
【請求項５】
前記第２の複数の番組は、放送種別により限定された番組である請求項１又は２記載の電子装置の制御方法。
【請求項６】
前記第２の複数の番組は、記録媒体に記録されている番組である請求項１又は２記載の電子装置の制御方法。
【請求項７】
前記第１の複数の番組の順位付をした前記第１の番組リストの採用、非採用を決めるための表示を行う、備える請求項１又は２記載の電子装置の制御方法。
【請求項８】
番組リストを生成するための番組リスト生成部であって、
第１の複数の番組の順位付をした第１の番組リストを外部から取得する手段と、
前記第１の複数の番組内に存在する第２の複数の番組に対して順位付けをした第２の番組リストを生成する場合、前記第１の複数の番組の前記順位付けされた順番を崩すことなく、第２の複数の番組に対して新たに順位付けし直した第２の番組リストを生成する手段と、を具備したことを特徴とする電子装置。
【発明の詳細な説明】
【技術分野】
【０００１】
本発明に係る実施形態は、記録された多数の番組の中から、ユーザが関心を持つ番組を容易に絞り込みそのリストを提供可能な電子装置の制御方法及び電子装置に関する。
【背景技術】
【０００２】
最近の記録再生装置は、複数のチューナを有し、同時に多数の番組を受信することができ、記録媒体に対して例えば１乃至２週間分もの番組を記録することも可能となっている。記録再生装置は、テレビジョン受信装置に接続されて使用されることが多く、前記複数のチューナとしては、テレビジョン受信装置に内蔵されているものが利用されることもある。
【０００３】
ところで、記録媒体に多数の番組が記録された場合、ユーザは、番組を視聴するために所望の番組を検索しなければならない。ユーザは、視聴する番組を決定するために録画リストを表示させて番組案内情報を見て、所望の番組をリストの中から選択している。しかし、多数の番組が記録されている場合、所望の番組を探し出すことは煩わしく、時間がかかる。
【０００４】
そこで、従来の記録再生装置（記録再生システム）では、記録した多数の番組をジャンルごとに分類してジャンルごとのおすすめ番組リストを提示したり、視聴履歴からユーザの好む傾向を判断しておすすめ番組を提示したりする手段が開発されている。
【先行技術文献】
【特許文献】
【０００５】
【特許文献１】特開２００３−２２４７９８号公報
【特許文献２】特開２００５−７３１９０号公報
【特許文献３】特開２００８−１８２７７１号公報
【特許文献４】特開２００６−３２４７９８号公報
【発明の概要】
【発明が解決しようとする課題】
【０００６】
しかしながら、従来の特定番組（例えばおすすめ番組）を提示する技術は、記録再生システムの内部の情報を用いたものが多い。また、外部から取り込んだものをそのまま使用する傾向もある。このために、所望番組の絞り込み抽出が不十分となることもあり、さらなる改良が要望されている。
【０００７】
そこで本実施形態は、多数番組の中から所望番組への絞り込みのための情報として、外部からの情報と、内部で構築されている情報とを合体して使用することで、効果的に所望番組の絞り込みと抽出を可能とする電子装置の制御方法及び電子装置を提供することを目的とする。
【課題を解決するための手段】
【０００８】
本願の一実施形態は、番組リストを生成する生成部が、第１の複数の番組の順位付をした第１の番組リストを外部から取得し、前記第１の複数の番組内に存在する第２の複数の番組に対して順位付けをした第２の番組リストを生成する場合、前記第１の複数の番組の前記順位付けされた順番を崩すことなく、第２の複数の番組に対して新たに順位付けし直した第２の番組リストを生成する、ことを特徴とする。
【図面の簡単な説明】
【０００９】
【図１】図１は、クラウドサーバにネットワーク（インターネット）を介して接続された多数の電子装置を示す図である。
【図２】図２は、クラウドサーバ内のデータ処理機能を説明するために示した図である。
【図３】図３は、本実施形態が適用されたテレビジョン装置の全体的なブロック構成図である。
【図４】図４は、テレビジョン装置内、或いは記録再生装置内に設けられる番組リスト生成部について説明する図である。
【図５】図５は、テレビジョン装置或いは記録再生装置内で番組リスト生成処理を行う時のフローチャートである。
【図６】図６は、クラウドサーバ内で番組リスト生成処理を行う時のフローチャートである。
【発明を実施するための形態】
【００１０】
以下、実施の形態について図面を参照して説明する。図１は、クラウドサーバ１９０にネットワーク（インターネット）を介して接続された電子装置１００ａ−１００ｇを示している。電子装置１００ａ−１００ｂとしては、テレビジョン装置、記録再生装置がある。テレビジョン装置には、記録再生装置が接続されている。
【００１１】
上記のテレビジョン装置、記録再生装置は、複数のチューナを有し、同時に多数の番組を受信することができ、記録媒体に対して例えば１乃至２週間分もの番組を記録することが可能である。
【００１２】
上記の電子装置１００ａ−１００ｂは、それぞれ、クラウドサーバ１９０に対して、視聴履歴情報や、録画予約情報をアップロードすることができる。視聴履歴情報や、録画予約情報には、番組を識別するための少なくとも番組案内情報が含まれている。
【００１３】
上記のクラウドサーバ１９０は、アップロードされた視聴履歴情報や、録画予約情報に基づいて、複数番組をそれぞれ識別可能とするクラウド側の番組案内情報として生成することができる。
【００１４】
図２は、クラウドサーバ１９０の概略的な内部ブロックを示している。クラウドサーバ１９０は、ネットワークに接続される送受信装置１９１、送信するデータや受信するデータを処理するデータ処理部１９２、メモリ（図示せず）などを含む。
【００１５】
クラウドサーバ１９０は、多数の電子装置から視聴履歴情報や、録画予約情報を受け取り、視聴履歴に基づいて番組の視聴履歴ランク１９３を付けることができるし、また録画予約に基づいて番組の録画予約ランク１９４を付けることができる。クラウドサーバ１９０で付されるランクは、グローバルからみた位置づけ情報となる。それぞれのランクには、データ収集した期間情報なども含まれる。
【００１６】
ランクの情報としては、ランク順位、番組の放送チャンネル、放送日時、時間、番組名、番組関係者（監督名、出演者名、主演者名、スポンサー名、協力団体名、など）、コメントなどが含まれる。視聴履歴ランク順位は、例えば視聴回数、視聴者数などが参考にされて順位付けされる。録画予約ランクの順位は、例えば録画予約数が参考にされて順位付けされる。
【００１７】
図３は、一実施形態が適用されたテレビジョン装置１００の構成例を示すブロック図であり、テレビジョン装置は、例えばスクランブルされたデジタル地上波放送信号を受信する複数のチューナ、ＢＳ４Ｋ、ＢＳ８Ｋ、ＣＳ４Ｋなど複数種類の衛星放送を受信する複数のチューナを含むデジタルチューナ装置１０２を有する。
【００１８】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１９】
記憶装置１１１は、例えば、ハードディスクドライブ、光ディスク記録再生装置を含む。光ディスクにはデジタルバーサタイルディスク（ＤＶＤ）、ブルーレイ（登録商標）ディスク（ＢＤ）などが含まれる。
【００２０】
ＴＳ処理部１２２から制御部２００に送られるパケットは、放送番組を再生するのに必要な情報が記述された各種のテーブルを搬送する。テーブルは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報、プログラムマップテーブルＰＭＴ（Program Map Table)等を含む。
【００２１】
パケットに含まれる画像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ（登録商標）方式、ＭＰＥＧ方式などでエンコードされている。
【００２２】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００２３】
ＴＳ処理部１２２で分離されたパケットの中で画像データを含むパケットは、画像デコーダ１３１に入力され、画像デコーダ１３１では、符号化方式に応じた復号化が実施される。画像デコーダ１３１でデコードされた画像データは、画像データ処理部１３２で、同期処理、輝度調整、色調整などが施される。画像データ処理部１３２の出力は、画像出力部１３３に供給される。画像出力部１３３は、制御部２００からのデータ、図形、番組表などをメイン画像信号に多重することができる。また画像出力部１３３は、出力画像信号に対して表示器１３４に応じたスケール、解像度、ライン数、アスペクト比などを設定して、表示器１３４に向けて出力する。
【００２４】
なお、有料番組のオーディオパケット、画像パケットが暗号化されている場合もある。この場合、鍵情報を用いて暗号化を解くための処理系統もあるがここでは省略している。
【００２５】
制御部２００は、中央演算処理ユニット（ＣＰＵ）２０１、操作コマンド処理部２０２、通信制御部２０３、デバイス管理部２０４、表示処理部１２１、メモリ２１１を含む。さらにＥＰＧ(Electric program guide)データ取り込み部を含むがここでは示していない。
【００２６】
制御部２００は、記録再生制御２５１を含む、この記録再生制御部２５１は、タイムシフト録画機能を持つ、また予約した番組を記録再生装置１１１の媒体に録画する機能、さらには、記録再生装置１１１で再生した例えばハードディスク、ＤＶＤ、ブルーレイディスクなどから再生したコンテンツを別の媒体（ハードディスク、ＤＶＤ、ブルーレイディスク）に記録する機も備える。
【００２７】
また、タイムシフト録画機能が動作するときは、記録再生制御部２５１は、記録再生装置１１１を制御し、放送される複数のチャンネルの番組を、複数日（例えば１週間分の番組乃至２週間）に渡って記録再生装置１１１に記録することができる。したがって、記録再生制御部２５１には、録画したコンテンツや番組コンテンツをテーブル上に配列した、録画リストデータも格納されている。
【００２８】
さらに制御部２００は、番組リスト生成部２６１を含む。この番組リスト生成部２６１については、後でさらに詳しく説明する。この番組リスト生成部２６１は、視聴履歴リスト生成部、録画予約リスト生成部、視聴予約リスト生成部、として機能することも可能である。またこれらの機能は、テレビジョン装置単独、或いはクラウドサーバ単独、或いは記録再生装置内単独、さらにはスマートフォーン単独に設けてもよいし、これらが分担して番組リスト生成部２６１を構築してもよい。
【００２９】
ＣＰＵ２０１は、制御部２００の全体の動作シーケンスの調整を行っている。コマンド処理部２０２は、外部から入力する操作コマンドを解析し、コマンドに応じた動作をテレビジョン装置５００に反映させることができる。デバイス管理部２０４は、制御部２００に対して操作信号を与える携帯端末７００、リモートコントローラ４００などのデバイス識別データを把握し、管理することができる。携帯端末７００は、スマートフォーン、タブレットＰＣ，パーソナルコンピュータ（ＰＣ）などを含む。
【００３０】
表示処理部１２１は、画像出力部１３３を介して表示器１３４に表示される画像信号を全般的に制御することができる。また表示処理部１２１は、画像信号の解像度、表示サイズ、表示エリアなどの調整処理を行うこともできる。また、ＥＰＧデータを用いて作成した番組表の画像信号や、操作信号に応じて制御部２００内で作成されたメニュー画像信号などを画像出力部１３３に供給することができる。
【００３１】
メモリ２１１は、制御部２００内で保存する各種のデータ、アプリケーションなどを保存することができる。またメモリ２１１は、不揮発性メモリを含み、通信のためのアドレスデータ、機器固有情報（ＴＶ固有ＩＤ）などを格納している。
【００３２】
通信制御部２０３は、外部との通信を行い、操作コマンド、データ、コンテンツ、などを取り込むことができる。取り込まれたコンテンツ、及びデータは、例えば記憶装置１１１、或いはメモリ２１１に格納されることができる。通信制御部２０３は、テレビジョン装置１００１から外部に向けて、データ、コンテンツ、などを送信することができる。
【００３３】
また、通信制御部２０３は、無線通信送受信部（通信器と称しても良い）１１３、有線通信送受信部１１２及び、ＬＡＮ送受信部１１５と接続されている。有線通信送受信部（通信器と称しても良い）１１２は、インターネットを介して、遠隔サーバ、或いはホームサーバとの間でデータの送受信を行うことができる。
【００３４】
無線通信送受信部１１３は、携帯端末７００との間でデータの送受信を行うことができ、近距離通信用である。
【００３５】
ＬＡＮ送受信部１１５は、例えば家庭内の他のテレビジョン装置、記録再生装置、セットトップボックス、家庭内サーバと接続されている。また、テレビジョン装置１００１は、リモートコントローラ４００からの操作信号を、赤外線受信部１１４を介して受け取ることもできる。
【００３６】
携帯端末７００は、テレビジョン装置１００をリモートコントロールすることができる。携帯端末７００は、図示しない基地局、インターネットなどを介してサーバをアクセスすることができる。携帯端末７００は、サーバが提供するコンテンツは勿論のこと、各種のアプリケーション、ゲームソフトなどをダウンロードし、無線通信送受信部１１３を介して、制御部２００に転送することが可能である。
【００３７】
また携帯端末７００は、コンテンツを取得するための情報（例えばウェブサーバのアドレス、メールアドレス、ネットワークアドレスなど）を、無線通信送受信部１１３を介して、制御部２００に転送することが可能である。
【００３８】
携帯端末７００からコンテンツ、アプリケーション、或いはゲームソフトが転送されてくるときは、制御部２００の通信制御部２０３が動作する。通信制御部２０３は、受け取ったコンテンツをメモリ２１１に格納する。コンテンツは、操作コマンドに応じて、或いは自動的に記録再生装置１１１に格納されてもよい。記録再生装置１１１は、受け取ったコンテンツを例えばハードディスクに記録させることができる。ハードディスクにおいては、コンテンツはコンテンツファイルとして管理される。
【００３９】
表示用のメニュー画像信号、番組表画像信号、録画リスト信号などは、表示処理部２１２に格納及びまたは管理されている。メニューの表示、番組表の表示が行われるときは、メニュー画面データ、番組表画像信号が、表示処理部２１２の制御に基づき、データ格納部（メモリ或いはハードディスク）から読み出され、画像出力部１３３に供給される。これにより、メニュー画面や番組表画面が表示器１３４に表示される。
【００４０】
表示用のメニュー画像信号、番組表画像信号などは、携帯端末７００に送信されることもできる。携帯端末７００がメニュー画像信号、番組表画像信号など要求した場合、表示処理部２１２は、メニュー画像信号、番組表画像信号
を携帯端末７００へ送信することができる。
【００４１】
携帯端末７００は、メニュー画像信号、番組表画像信号をタッチ式パネルの画面に表示することができ、ユーザは、タッチ（或いはポイント）式パネルの画面に表示された操作ボタンに触れることにより、テレビジョン装置１００に動作指令信号を与えることができる。
【００４２】
図４は、番組リスト生成部２６１を取り出して示している。この番組リスト生成部２６１は、入力部２６２を介して記録媒体に自動録画されている録画番組情報を取得することができる。この取得は、例えば、ユーザが番組リストの表示を要求したときに実行される。
【００４３】
番組リストの要求は、リモートコントローラ操作に基づいて、例えば表示器１３２の画面に表示されたメニューから番組リストのアイテムをカーソルで選択し、決定ボタンを操作することで行われる。さらには、携帯端末７００の表示画面において、メニューを表示させて、番組リストのアイテムをタッチ操作することで行われる。
【００４４】
番組リスト生成部２６１が、録画番組情報を取得すると、テレビジョン装置１００は、ユーザに対して、番組リストを生成するために抽出条件（限定要素）の入力を要求する。限定要素は、入力部２６６から入力される。この要求を表示する画面では、限定要素として、「なし」、「放送種別（地上波、ＢＳ４Ｋ、ＢＳ８Ｋ、ＣＳなどが区分されてもよい）」、「出演者名」、「主演者名」、「番組名」、「作者名」、「監督名」「ジャンル」などを選択的或いは組み合わせて入力することができる。
【００４５】
さらに、「番組ランク」を「利用する」、「番組ランク」を「利用しない」の選択画面が表示され、ユーザは、「利用する」、「利用しない」のいずれかを選択できてもよい。
【００４６】
これらは、表示器１３４或いは携帯端末７００の表示画面に現れる。
【００４７】
携帯端末７００から文字など入力する場合は、携帯端末７００の画面に文字入力画面が表示されるので、ユーザは当該画面を用いて入力する。テレビジョン装置１００の表示器１３４のカーソルを用いて入力する場合も、ユーザはリモートコントローラ４００を操作して、カーソルを移動し、画面上の文字を選択することで、所望の入力を行うことができる。
【００４８】
なおこの限定要素の入力方法としては、種々の入力方法が可能であり、予め学習した「出演者名」、「主演者名」、「番組名」、「作者名」、「監督名」などが表示されるので、リモートコントローラにより、所望のアイテムをカーソルで選択して、決定ボタンを押してもよい。
【００４９】
番組リスト生成部２６１には、入力部２６３を介して、ネットワーク経由の番組抽出用情報が入力する。この番組抽出用情報は、図２で説明したような、少なくとも番組のランク情報を含む情報である。番組リスト生成部２６１で作成されたおすすめ番組リストは出力部２６４を介して出力され、ユーザは表示器１３４或いは携帯端末７００で確認することができる。
【００５０】
なお上記の説明（図４）では、録画番組の順位を、外部から取得した番組順位に基づいて順位付けするように説明したが、本実施形態は、このような方法に限定されるものでなない。例えば、受信中の番組（複数チューナが存在する場合は、複数の番組）に関して、外部から取得した番組順位に基づいて、順位付けを行ってもよいことは勿論である。すると受信して録画した番組には、すでに録画リストの順位が設定されていることになる。
【００５１】
番組リスト生成部２６１は、次のような処理を実行することができる、即ち、
基本的には、（１）第１の複数の番組の順位付をした第１の番組リストを外部から取得し、前記第１の複数の番組内に存在する第２の複数の番組に対して順位付けをした第２の番組リストを生成する場合、前記第１の複数の番組の前記順位付けされた順番を崩すことなく、第２の複数の番組に対して新たに順位付けし直した第２の番組リストを生成する、ことを特徴とする。また、（２）上記（１）において、前記第１の複数の番組の順位は、番組視聴履歴情報及び又は録画予約情報に基づいている。（３）さらには、上記（１）又は（２）において、前記第２の複数の番組は、番組の出演者名および又はジャンルにより限定された番組である。（４）さらにまた、上記（１）又は（２）において、前記第２の複数の番組は、放送日時により限定された番組である。（５）また、上記（１）又は（２）において、前記第２の複数の番組は、放送種別により限定された番組である。（６）また、前記第１の複数の番組の順位付をした前記第１の番組リストの採用、非採用を決めるための表示を行うこともできる。
【００５２】
（７）さらにまた上記の方法は、テレビジョン装置単独、或いはクラウドサーバ単独、或いは記録再生装置内単独、さらにはスマートフォーン単独に設けてもよいし、これらが分担して番組リスト生成部２６１を構築してもよい。さらに上記方法は、各装置として構成されてもよいことは勿論である。
【００５３】
また別の観点から（１Ａ）記録媒体に記録された番組に関する録画番組情報又は受信中複数の番組の番組情報（ＥＰＧデータなどから取得可能である）を、第１の複数番組をそれぞれ識別可能とする第１の番組案内情報とする、また、図２で説明した例えば視聴履歴ランクの情報を、第２の複数番組をそれぞれ識別可能とする第２の番組案内情報とする、ここで第２の番組案内情報は前記第１の番組案内情報の一部もしくは全部を含むことになる。これは、クラウドサーバ１９０には、図３のテレビジョン装置１００自身の視聴履歴情報も定期的にアップロードされるからである。
（２Ａ）次に番組リスト生成部２６１は、前記第１の複数番組（テレビジョン装置１００において録画された番組）の中からおすすめ番組の番組リストを生成する場合、
前記第１の複数番組に関して、少なくとも前記第１の番組案内情報の中の限定要素（出演者名など）を利用することで第１の番組抽出用情報を生成する（これは先の抽出条件の入力に基づくものである）。
（３Ａ）さらに前記第２の複数番組に関して、少なくとも番組のランクを含む第２の番組抽出用情報をネットワーク経由で取得する、そして、前記第２の番組抽出用情報の中に、前記第１の番組抽出用情報に対応する第３の番組抽出用情報が存在する場合、前記第３の番組抽出用情報に基づいて、前記ランクに基づく配列を加えた前記おすすめ番組リストを生成して出力する。
【００５４】
上記の説明では、番組リスト生成部２６１は、テレビジョン装置１００内の設けられている例を説明したが、この番組リスト生成部２６１は、記録再生装置１１１内に設けられていてもよく、番組リストの表示が表示器１３４、或いは携帯端末７００で行われてもよい。さらには、後で説明するように、クラウドサーバ１９０において、作成されてもよい。
【００５５】
さらには、クラウドサーバ１９０とテレビジョン装置１００（又は記録再生装置１１１）が分担して、特定の番組リストを作成するようにしてもよい。
【００５６】
番組リストは、いわゆるユーザの嗜好番組に絞り込まれたリストと称することができる。ユーザは、このリストの中から所望の番組を選択し、決定操作することで、再生を行うことができる。
【００５７】
再生して表示する形態としては、テレビジョン装置１００に接続された表示器１３４で表示する方法、テレビジョン装置１００あるいは記録再生装置１１１とネットワークを介して接続された携帯端末７７０の画面で表示する方法が可能である。さらには、携帯端末７００に選択された番組をダウンロードして、別の部屋で視聴することも可能である。
【００５８】
図５は、テレビジョン装置或いは記録再生装置内で番組リスト生成処理を行う時のフローチャートである。操作部から録画番組を視聴する旨の操作入力があると（ＳＡ１、ＳＡ２）、例えば画面上に番組ランクを設定して番組リストを出すかどうかの問い合わせが出力される。この問い合わせは、画面上の文字、又は音声で行われる（ＳＡ３）。今後は画面上の文字での問い合わせを通じて電子装置とユーザとの対話があるものとして説明する。
【００５９】
ＳＡ３において、ユーザが番組リストの抽出には番組ランクを設定しない旨の選択を行うと、記録再生装置１１１の媒体に記録されている全番組の録画リストが、例えば記録日付・時間順に作成される（ＳＡ５）。
【００６０】
ＳＡ３において、ユーザが、「番組ランクを設定して番組リストを出す」旨の選択を行うと、記録再生装置１１１に録画されている番組の録画番組情報を取得する（ＳＡ４）。
【００６１】
つぎに、録画番組の抽出条件を入力するかどうかの問い合わせがある。抽出条件（例えば番組名、出演者名、放送日時など）を入力すると（ＳＡ７）、入力した抽出条件に見合う番組を特定することができる、第１番組抽出用情報を生成し決定する（ＳＡ８）。
【００６２】
次に、ネットワーク経由で、番組ランクを含む第２の番組抽出用情報（図２において説明した）を取得する（ＳＡ９）。
【００６３】
さらに第２の番組抽出用情報に一部或いは全部が含まれる第１の番組抽出用情報に対応した情報を第３の番組抽出用情報として生成する（ＳＡ１０）。そして、第３の番組抽出用情報に基づいて、おすすめ番組リストを生成する（ＳＡ１１）。このとき、第３の番組抽出用情報は、番組のランクを反映している情報であるから、番組リストも番組ランクに基づいて各番組情報を配列することができる。
【００６４】
上記したように本システムにおいて、録画番組リストが番組ランクに基づいて作成されるために、ユーザは、例えば人気番組を容易に抽出して楽しむことができる。
【００６５】
この考え方は、クラウドサーバ１９０上で実施することも可能である。
【００６６】
図６は、クラウドサーバ内で番組リスト生成処理を行う時のフローチャートである。クラウドサーバ１９０は、多数のテレビジョン装置や、記録再生装置とインターネットを通じて接続されている。そして、クラウドサーバ１９０は、各接続された電子装置と互いの情報の交換を行うことができるように構成されている。
【００６７】
したがって、複数のテレビジョン装置、記録再生装置から視聴履歴情報、録画予約情報などがアップロードされてくる（ＳＢ１、ＳＢ２）。この場合、番組放送時間帯に応じて、情報を区分することが好ましい。
【００６８】
この結果、クラウドサーバ１９０は、グローバル規模で視聴履歴ランク、録画予約ランクを各番組に設定することが可能である。このランク情報を例えばグローバルな番組抽出用情報として保持する（ＳＢ３）。この時点で、各記録再生装置や、テレビジョン装置から送られてきたそれぞれの視聴履歴情報、録画予約情報に含まれている番組に対して、ランク付けを行い、各記録再生装置や、テレビジョン装置に返信してもよい。ここでは、要求があったときに返信するものとして説明する。
【００６９】
今、テレビジョン装置１００から、録画番組に関して、視聴推薦を求める要求があったものとする（ＳＢ４）。
【００７０】
すると、クラウドサーバ１９０は、テレビジョン装置１００に対して、録画番組を視聴するのに「限定要素があるかどうか」を問い合わせる（ＳＢ５）。限定要素としては、特定の人物が出演している番組であるのか、特定のスポンサーが提供している番組であるのかどうか、特定の日時に放送された番組であるのかなどであり、単一要素、或いは複数要素のいずれでも構わない。
【００７１】
クラウドサーバ１９０は、テレビジョン装置１００から「限定要素」を受け取った後、テレビジョン装置１００からアップされている録画番組情報から「限定要素」を満足する録画番組情報を抽出する。この抽出した録画番組情報を第１の番組抽出用情報として保存する（ＳＢ６）。
【００７２】
つぎにクラウドサーバ１９０は、先のグローバルな番組抽出用情報の中に前記第１の番組抽出用情報の一部もしくは全部が存在した場合、該当する番組抽出情報に対して、先のランクを付与する（ＳＢ７）。このランクが付与された番組抽出情報を対応する番組のランク順に並べて第３の番組抽出用情報として、対応する番組の番組リストを作成する（ＳＢ８）。
【００７３】
作成された第３の番組抽出用情報は、対応するテレビジョン装置１００に送信される。これにより、テレビジョン装置１００は大量の番組の中から、ランクと、「限定要素・・・人名、ジャンル、など」とを組み合わせた検索条件に基づいて、所望の番組を抽出することが可能となる。
【００７４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００７５】
また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００７６】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００７７】
１００・・・テレビジョン装置、１０２・・・デジタルチューナ装置、１１１・・・記録再生装置、１２２・・・ＴＳ処理部、１２３・・・オーディオデコーダ、１２４・・・オーディオデータ処理部、１２５・・・オーディオ出力部、１２６・・・スピーカ、１３１・・・画像デコーダ、１３２・・・画像データ処理部、１３３・・・画像出力部、１３４・・・表示器、２００・・・制御部、２５１・・・記録再生制御部、２６１・・・番組リスト生成部、４００・・・リモートコントローラ、７００・・・携帯端末。
【図１】
2019140621.tif 000003
【図２】
2019140621.tif 000004
【図３】
2019140621.tif 000005
【図４】
2019140621.tif 000006
【図５】
2019140621.tif 000007
【図６】
2019140621.tif 000008